(57)【要約】      （修正有）【課題】補助的なショルダーベルトを追加する事により、各種使用条件下で安定性が高く、扱い易い肩掛けバッグを提供する。【解決手段】肩掛けバッグの上部で標準的な主ショルダーベルト２の取り付け位置２箇所の内側４に一方の、またバッグ側部で主ショルダーベルト取り付け位置２箇所より外側５、または下側にもう一方の接続部を取り付けた補助ショルダーベルト３を主ショルダーベルト２をかけている側の肩と反対側の肩に背中経由でかけられるようにする。上記の構成とすることにより、バッグを邪魔にならない位置に安定して保つことができる。【選択図】図１
0003171464.tif 000002
【実用新案登録請求の範囲】
【請求項１】
バッグ本体とこのバッグ本体の上部２箇所に両端を取り付けられた主ショルダーベルトと、さらに前記のバッグ本体の一方側面でしかも前記の主ショルダーベルトより低い位置に一端を固定され、且つその他の端を前記バッグ本体の上面に固定された補助ショルダーベルトをもつ肩掛けバッグ。
【請求項２】
主ショルダーベルトの両端がバッグ本体の上部左右側面に取り付けられている請求項１記載の肩掛けバッグ。
【請求項３】
主ショルダーベルトの両端がバッグ本体の上部左右側面より中央よりに取り付けられている請求項１記載の肩掛けバッグ。
【請求項４】
補助ショルダーベルトが取り外し可能な状態で接続具により接続された請求項１ないし請求項３のいずれか１つに記載の肩掛けバッグ。
【考案の詳細な説明】
【技術分野】
【０００１】
本考案は、鞄やケース、袋などを肩にかけるバッグに関するものである。
【背景技術】
【０００２】
従来より、ベルトを使用して、肩にかけるタイプの鞄として、「ショルダーバッグ」や「持ち手の長い手さげカバン」、「持ち手の長い、またはショルダーベルトの付いたスポーツバッグ」など（以下、これらを総称して「肩掛けバッグ」と呼ぶ）がある。
【０００３】
肩掛けバッグは、肩に掛けたときに、ぶら下げる位置の可動範囲の広さから、前方のお腹付近にずらすことで中を確認しながらの物の出し入れがしやすく、通常歩行時は体の側部の腰付近、またはそれより後ろに追いやることで歩行しやすいなど、短時間であればとても使い道の広いバッグである。しかし、長時間使用の場合や内容物が重い場合には、片方の肩に強く負担がかかることや、肩からずれるのを防ぐため、不自然な体制をとることで、余計に疲労や痛みを感じることが多い。
【０００４】
ディパックやリュックサック（以下、「リュック」と呼ぶ）などを使用した場合には、歩行時は快適に使用できるが、物の出し入れはリュックを下ろしてからとなり、とても面倒であることや、これらの背負い専用のカバンは「ビジネス用」という印象があまり無く、日本のビジネスシーンではあまり受け入れられていない現状があるため、実情としては使いにくいのを我慢しながら肩掛けバッグを使用しているビジネスマンがとても多い。
【０００５】
また、通勤に前傾姿勢を伴うスポーツタイプの自転車やオートバイを使用しているビジネスマンも、ビジネス向けの肩掛けバッグでは、運転中に膝のすぐ横あたりに揺れを伴ってぶら下がるなど、扱いにくく、危険をも伴う。
【０００６】
これを改善できるものとして、実用新案出願平７−１３１６４号や実用新案出願平５−１７２９５号のような肩掛けバッグにリュックサック機能を内蔵させたものなどがある。
【先行技術文献】
【特許文献】
【０００７】
【特許文献１】実用新案出願平７−１３１６４号
【特許文献２】実用新案出願平５−１７２９５号
【特許文献３】実用新案昭５９−７２９３３号
【特許文献４】実用新案昭５９−１３４４１５号
【特許文献５】実用新案特願２０００−３１５７２６号
【考案の概要】
【考案が解決しようとする課題】
【０００８】
実用新案出願平７−１３１６４号のようなリュックとしても使用できる肩掛けバッグでは、リュックとして使う際の、背負い用ベルトの準備の手間がかかり、毎日これをセットして使用し、使用後はまた収納を繰り返す面倒な手間は、実際の使用では大きな障害となる可能性が高い。
【０００９】
実用新案出願平５−１７２９５号のように、肩掛けバッグを容易にリュック形状にできるものでも、背負っているときにカバンの中の物を取り出す際の動作がとても面倒であるなど、実際の使用にはリュック特有の不便な一面を持つことになる。
【００１０】
スナップ写真撮影などを行う人も、頻繁にバッグから機材の出し入れを行う必要があり、出し入れのしにくいリュックではなく、肩掛けバッグを選択する場合が圧倒的に多いが、まる一日中の行動となる場合もあり、また、中に入れる荷物も重いことから、苦痛との戦いとなることが常で、バッグが肩からずり落ちないように気を使っていると、不自然な体勢を続けることで、肩や腰、首、背中、腕などに疲れや痛みを残す原因にもなる場合もある。
【００１１】
実用新案昭５９−７２９３３号のような、肩掛けバッグのショルダーベルトのベルト取り付け部にもう1本のベルトの両端を取り付け、取り付けたベルトを胴回りに掛けてショルダーベルトが肩でずれるのを防ぐ構造や、実用新案昭５９−１３４４１５号のようなショルダーベルトを２本を同じ取り付け位置に装備し、そのうち１本を肩掛けバッグを持つ側の肩に、もう１本を反対側に肩にたすきがけにする構造の肩掛けバッグなども考案されているが、ショルダーベルトのずれを防ぐ効果は期待できるが、バッグをベルトが支持する点が２点であることは変わらず、揺れを防ぐ効果についてはあまり期待できず、行動の邪魔となる点をあまり改善できない。
【００１２】
乗車時に前傾姿勢を伴うスポーツタイプの自転車、オートバイなどを通勤に利用するなどで使用するような使い方や、上半身が前のめりでの使用が多くなるスナップ写真撮影などでは、実用新案昭５９−７２９３３号や実用新案昭５９−１３４４１５のような、体の側部の腰付近にバッグが位置するこれらの肩掛けバッグは通常の肩掛けバッグ同様、体の側部や膝の横などに位置することで運転操作や撮影動作の邪魔となるため向いていない。
【００１３】
実用新案特願２０００−３１５７２６号のようなベルトの両端を結合した「サイドベルト」と呼ばれるベルトを用意し、それをショルダーベルトの取り付け位置付近に接続してショルダーベルトを掛けた肩の反対側の肩に掛けることで肩に掛けたときの安定性をあげるとされる考案もあるが、実用新案昭５９−７２９３３号や実用新案昭５９−１３４４１５と同様、体の側部の腰付近にバッグが位置する考案であるため、前傾姿勢の自転車やバイクなどに向かない。さらに１点に端部が結合されたサイドベルトを肩に掛けてバッグの動きを拘束するため、バッグが重い場合など、サイドベルトを掛ける側の肩がサイドベルトの引きにより圧迫されることで、重い内容物をバッグに入れた場合の負担が大きい。
【００１４】
そこで本考案は、肩掛けバッグのメリットを損なわず使用中の安定性や扱いやすさを向上することを目的とする。
【課題を解決するための手段】
【００１５】
前記課題を解決するために本考案は、肩掛けバッグの主ショルダーベルトに対してもう１つ、主ショルダーベルトのバッグへの取り付け位置と異なる位置にその両端それぞれを接続した補助ショルダーベルトを取り付けた肩掛けバッグで、一方の肩にかける主ショルダーベルトと、バッグを背中方向に引っ張りながらもう一方の肩にかける補助ショルダーベルトを備えたものである。
【考案の効果】
【００１６】
請求項１に記載の考案によれば、補助ショルダーベルトをつけた肩掛けバッグの主ショルダーベルトと補助ショルダーベルトを背中で交差させて両肩にかけることが出来るよう、２つのショルダーベルトの両端接続部それぞれを交互にバッグ本体に接続することにより、主ショルダーベルトのみ使用するときは、内容物の出し入れがしやすい通常の肩掛けバッグの使い勝手そのままに、従来からの肩掛けバッグのメリットを失うことがない。何らかの理由で前傾姿勢が必要な時にも、補助ショルダーベルトを肩にかけるだけで、背中の低い位置にぶら下がり、体側部より前にずれて邪魔になることがないバッグとなる。しかも、両肩に掛ける場合の準備に時間がかからない。
【００１７】
請求項２に記載の考案によれば、ビジネスに多く使われる形状の肩掛けバッグに請求項１の補助ショルダーベルトをつけることにより、通勤にスポーツタイプの前傾姿勢が必要な自転車やオートバイなどを使用しているビジネスマンが、ビジネスに使用しやすいビジネスバッグを使用しながら、バッグが体側部より前にずれて運転の邪魔になることなく使用できるバッグとなる。
【００１８】
請求項３に記載の考案によれば、長めの持ち手を肩にかけることができるタイプの肩掛けバッグにおいて、請求項１の肩掛けバッグと同様の効果を得ることができるバッグとなる。
【００１９】
請求項４に記載の考案によれば、請求項１ないし請求項３の考案の効果を必要としないシチュエーションでは、通常の肩掛けバッグとして使用したい場合に補助ショルダーベルトを取り外すことで、前記肩掛けバッグの機能を持たず、一般の肩掛けバッグと変わらない外観で使用でき、補助ショルダーベルトが邪魔になることがない。
【図面の簡単な説明】
【００２０】
【図１】本考案の両肩掛けバッグの実施の形態１を示す正面図である。
【図２】本考案の両肩掛けバッグをすこし「前のめり姿勢」で使用した場合の使用例の図である。
【図３】本考案の両肩掛けバッグの実施の形態１を示す裏面図である。
【図４】本考案の両肩掛けバッグの実施の形態１を示す側面図である。
【図５】本考案の両肩掛けバッグを実施例２の「持ち手の長い手さげカバン」で実現した場合を示す図である。（手さげバッグ）
【考案を実施するための形態】
【実施例１】
【００２１】
以下、本考案を具体化した形態を図面に基づいて説明する。
【００２２】
図1に示すように、肩掛けバッグ１の主ショルダーベルト２以外に、補助ショルダーベルト３を供えた構造。図では請求項３にある形で、Dリングのような上部接続具４及び側部接続具５を介してバッグ１と補助ショルダーベルト３を接続している。
【００２３】
補助ショルダーベルト３の取り付け位置の一方となる、上部接続具４を、主ショルダーベルト２の両側２箇所のバッグとの接続部６の間に配置させ、補助ショルダーベルト３の取り付け位置のもう一方、側部接続具５を主ショルダーベルト２の両側２箇所のバッグの接続部６より低い位置に配置させることによって、補助ショルダーベルト３使用時に、主ショルダーベルト２と補助ショルダーベルト３が背中で交差状態となり、主ショルダーベルト２と補助ショルダーベルト３の長さが少し長くても、背中に位置するバッグが安定しやすい。
【００２４】
図３の裏面図のように、補助ショルダーベルト３を取り付けるための接続具４のみ取り付けた状態で、市販のショルダーベルトやその代用品を取り付けられるようにしたものであれば、この考案の効果を得ることが出来る。
【００２５】
本考案は、この補助ショルダーベルト３を使用した歩行時安定の良い形状と、そこからの小さな動作のみで、補助ショルダーベルト３を肩から外し、従来からの一般的な肩掛けバッグによる内容物の出し入れ動作の簡易さを必要に応じて使い分けることで、バッグの「使い勝手優先」と、歩行時の「ずれ防止優先」を適材適所で選ぶという方法を採用したことで、肩掛けバッグ形状から来る使い勝手のメリットをそのまま活かすことが出来る。
【００２６】
補助ショルダーベルト３の取り付け位置４と取り付け位置５の２点を離れたところに位置させることで、バッグの重さも左右に適度に分散し、さらに補助ショルダーベルト３をかける側の肩を圧迫しない。
【００２７】
バッグ本体１の背中に背負う角度についても、水平、垂直などのこだわりを捨て、背負うときの左右非対称な少し斜めの状態を良しとすることで、簡単な構造と使い勝手を両立することが出来るため、図２で表すように、写真撮影などで少し前のめりになった状態で、腰から前方にずれてこない安定効果が発揮される。特に前傾姿勢となるスポーツタイプの自転車、バイクではリュックサック並みに安定性が高い両肩背負い型でありながら、ビジネスにも移行しやすい肩掛けバッグ形状をとできる。
【実施例２】
【００２８】
以下、本考案を具体化した形態を図面に基づいて説明する。
【００２９】
「実施例１」で典型的な肩掛けバッグの代表であるショルダーバッグをベースとした形態の説明を行っているが、本考案はショルダーバッグに限らず、持ち手などを肩にかけることが出来るバッグであればその考案を利用することが出来る。
【００３０】
図５で示したバッグは、持ち手が肩掛けと手さげとに兼ねて使用できるタイプの肩掛けバッグをベースとして、本考案の補助ショルダーベルトを備えたバッグを表したものである。
【産業上の利用可能性】
【００３１】
本案は肩掛けバッグにショルダーベルトをもうひとつ追加して、バッグの背負い位置を安定させた両肩掛けバッグに関するものである。
【符号の説明】
【００３２】
１  バッグ本体
２  主ショルダーベルト
３  補助ショルダーベルト
４  補助ショルダーベルト上部接続部
５  補助ショルダーベルト側部接続部
６  ショルダーベルト接続部
【図１】
0003171464.tif 000003
【図２】
0003171464.tif 000004
【図３】
0003171464.tif 000005
【図４】
0003171464.tif 000006
【図５】
0003171464.tif 000007